(57)【要約】【課題】ボールガイドの先端部分とティーとの相対位置が確定しないので、練習ボールが確実にティー上に移載されにくいという問題がある。【解決手段】収容部３に入れられた多数のゴルフボールを１個ずつティー２２上に移載する形式のものにおいて、ゴルフボール２を転動させてゴルフボール２をティー２２上に停止させるボールガイド１０がクラブヘッドのスイング軌跡に干渉しない格納位置とゴルフボール２をティー２２上に移載させる転動位置の２位置をとり得るように構成され、ボールガイド１０の先端部にはストッパ構造１３が形成され、位置決め部材２３の一端が練習機本体に結合され、位置決め部材２３の他端にティー２２が結合されていて、ティー２２とストッパ構造１３との相対位置が適正に確定されるように構成した。【選択図】　　　　　　図１
2004041669.tif 000002
【特許請求の範囲】
【請求項１】
収容部に入れられた多数のゴルフボールを１個ずつティー上に移載する形式のものにおいて、ゴルフボールを転動させてゴルフボールをティー上に停止させるボールガイドがクラブヘッドのスイング軌跡に干渉しない格納位置とゴルフボールをティー上に移載させる転動位置の２位置をとり得るように構成され、ボールガイドの先端部にはストッパ構造が形成され、位置決め部材の一端が練習機本体に結合され、位置決め部材の他端にティーが結合されていて、ティーとストッパ構造との相対位置が適正に確定されるように構成したことを特徴とするゴルフ練習ボールの供給装置。
【請求項２】
請求項１において、収容部の飛球線側に飛球線とほぼ平行な方向に伸びているボールガイド溝を設け、このガイド溝の先端部にボールガイドが配置されており、ボールガイドの格納位置はボールガイドが起立した位置とされ、飛球線とほぼ平行に配置された軸を中心にしてボールガイドが揺動することにより格納位置から転動位置に変位させるように構成したことを特徴とするゴルフ練習ボールの供給装置。
【請求項３】
請求項１または請求項２において、ボールガイド溝の先端部の背後に練習者が動作させる押出し部材が配置され、この押出し部材によって押出されたゴルフボールがボールガイドを押倒してボールガイドを格納位置から転動位置に変位させることを特徴とするゴルフ練習ボールの供給装置。
【請求項４】
請求項１から請求項３において、ボールガイド溝の先端部の底面にはゴルフボールの位置決めをする突起が取付けられ、押出し部材で押出されたゴルフボールはこの突起を乗り越えながらボールガイドを押倒して行くように構成されていることを特徴とするゴルフ練習ボールの供給装置。
【請求項５】
収容部に入れられた多数のゴルフボールを１個ずつティー上に移載する形式のものにおいて、ゴルフボールを転動させてゴルフボールをティー上に停止させるボールガイドがクラブヘッドのスイング軌跡に干渉しない格納位置とゴルフボールをティー上に移載させる転動位置の２位置をとり得るように軸を中心にした揺動運動をする構成とされ、ボールガイドの先端部にはストッパ構造が形成され、位置決め部材の一端が練習機本体に結合され、位置決め部材の他端にティーが結合されていて、ティーとストッパ構造との相対位置が適正に確定されるように構成し、前記軸は収容部側に取付けられているとともに収容部の高さを変えられるように構成したことを特徴とするゴルフ練習ボールの供給装置。
【発明の詳細な説明】
【０００１】
【発明が属する技術分野】
本発明は、多数のゴルフボールを溜めておいて、ボールを１個ずつ取り出すゴルフ練習ボールの供給装置に関するものである。
【０００２】
【従来の技術】
収容部に入れられた多数のゴルフボールを１個ずつティー上に移載する形式のものにおいて、ゴルフボールを転動させてゴルフボールをティー上に停止させるボールガイドがクラブヘッドのスイング軌跡に干渉しない格納位置とゴルフボールをティー上に移載させる転動位置の２位置をとり得るように構成されているものが知られている。
【０００３】
【発明が解決しようとしている問題点】
上述のようなタイプのものであると、ボールガイドが転動位置に変位したときに、ボールガイドの先端部分とティーとの相対位置が確定しないので、練習ボールが確実にティー上に移載されにくいという問題がある。
【０００４】
【問題を解決するための手段とその作用】
本発明は、上述の問題点を解決するために発案されたもので、請求項１に記載された発明は、収容部に入れられた多数のゴルフボールを１個ずつティー上に移載する形式のものにおいて、ゴルフボールを転動させてゴルフボールをティー上に停止させるボールガイドがクラブヘッドのスイング軌跡に干渉しない格納位置とゴルフボールをティー上に移載させる転動位置の２位置をとり得るように構成され、ボールガイドの先端部にはストッパ構造が形成され、位置決め部材の一端が練習機本体に結合され、位置決め部材の他端にティーが結合されていて、ティーとストッパ構造との相対位置が適正に確定されるように構成したことを特徴としている。
【０００５】
上記構成により、ボールガイドが格納位置からゴルフボールをティー上に移載させる転動位置に変位させられると、ボールガイドの先端部のストッパ構造とティーとの相対位置が位置決め部材で適正に確定される。したがって、ボールガイドを転動したゴルフボールはストッパ構造で停止させられるとともに、その停止位置がティー上であることにより、ゴルフボールは確実にティー上に停止し、正確なボール供給が実現する。
【０００６】
請求項２に記載された発明は、請求項１において、収容部の飛球線側に飛球線とほぼ平行な方向に伸びているボールガイド溝を設け、このガイド溝の先端部にボールガイドが配置されており、ボールガイドの格納位置はボールガイドが起立した位置とされ、飛球線とほぼ平行に配置された軸を中心にしてボールガイドが揺動することにより格納位置から転動位置に変位させるように構成したことを特徴としている。
【０００７】
上記構成により、ボールガイド溝は収容部の飛球線側、すなわち練習者に近い箇所に飛球線とほぼ平行に配置され、ボールガイドはボールガイド溝の先端部に配置されているから、ゴルフボールの移動軌跡は、上記ガイド溝を飛球線方向に移動してからボールガイドに移載される状態になる。したがって、ゴルフボールの移動軌跡が単純化され、ボールが移動中に何等かの部材にひっかかったりするようなトラブルがなく、供給信頼性の高い練習機がえられる。また、ボールガイドが起立した格納位置から倒れるように揺動して転動位置に変位すると、ボールガイドはボールガイド溝の長手方向、つまり飛球線方向にほぼ直交した向きに位置づけられる。したがって、ゴルフボールは練習機本体からできるだけ離れた位置にガイドされてティーアップがなされることとなり、練習スイングの際に練習機本体が気にならないで練習できる。
【０００８】
請求項３に記載された発明は、請求項１または請求項２において、ボールガイド溝の先端部の背後に練習者が動作させる押出し部材が配置され、この押出し部材によって押出されたゴルフボールがボールガイドを押倒してボールガイドを格納位置から転動位置に変位させることを特徴としている。
【０００９】
上記構成により、ゴルフボールはボールガイドの後方からボールガイドを押倒すようにして押出し部材により押出されるので、ゴルフボールの転出とともにボールガイドが倒れて、ゴルフボールの移動通路が確実に形成される。とくに、ゴルフボールが押出し部材で強制的に移動させられる際にボールガイドが倒されるので、ボールガイドを倒す駆動源が練習者の動作力となり、確実にボールガイドが転動位置に変位し、信頼性の高いボール供給が実行される。すなわち、練習者の遠い側から見ると、一番奥に練習者が動作させる押出し部材、ゴルフボール、ボールガイドの順で配列されているので、上記のような首尾よい作用が実現するのである。
【００１０】
請求項４に記載された発明は、請求項１から請求項３において、ボールガイド溝の先端部の底面にはゴルフボールの位置決めをする突起が取付けられ、押出し部材で押出されたゴルフボールはこの突起を乗り越えながらボールガイドを押倒して行くように構成されていることを特徴としている。
【００１１】
上記構成により、ボールガイド溝の先端部に到達したゴルフボールは、突起によって停止位置が決定づけられているから、勝手にボールガイドを押倒すような現象がなく、練習者が動作させる押出し部材でゴルフボールが突起を乗り越えながらボールガイドを押倒して行く。したがって、ゴルフボールの停止安定性が向上し、練習者の動作に基づいた明確な押出し運動により、ゴルフボールが押され合わせてボールガイドも押倒されて、信頼性の高いボール供給がえられる。
【００１２】
請求項５に記載された発明は、収容部に入れられた多数のゴルフボールを１個ずつティー上に移載する形式のものにおいて、ゴルフボールを転動させてゴルフボールをティー上に停止させるボールガイドがクラブヘッドのスイング軌跡に干渉しない格納位置とゴルフボールをティー上に移載させる転動位置の２位置をとり得るように軸を中心にした揺動運動をする構成とされ、ボールガイドの先端部にはストッパ構造が形成され、位置決め部材の一端が練習機本体に結合され、位置決め部材の他端にティーが結合されていて、ティーとストッパ構造との相対位置が適正に確定されるように構成し、前記軸は収容部側に取付けられているとともに収容部の高さを変えられるように構成したことを特徴としている。
【００１３】
上記構成により、ボールガイドが格納位置からゴルフボールをティー上に移載させる転動位置に変位させられると、ボールガイドの先端部のストッパ構造とティーとの相対位置が位置決め部材で適正に確定される。したがって、ボールガイドを転動したゴルフボールはストッパ構造で停止させられるとともに、その停止位置がティー上であることにより、ゴルフボールは確実にティー上に停止し、正確なボール供給が実現する。このような作動に加えて、収容部の高さを変えると、前記軸も一緒に高さが変わるので、ボールガイドの高さも変わることとなる。
つまり、ティーの高さが高いときにはその高さに合わせて収容部の高さ、すなわちボールガイドを支持する軸の高さを高くすることにより、ボールガイドの先端部の高さも高くなり、ティーの高さに適したボールガイドの先端部の高さが設定でき、ゴルフボールが確実にティー上に移載される。また、ティーが低いときには、上記の高い場合の逆の調整を行えばよい。
【００１４】
【発明の実施の形態】
以下、図示の実施の形態にしたがって、本発明をくわしく説明する。
【００１５】
質量の大きな、たとえば、鉄製の基部材１に多数のゴルフボール２を収容する箱状の収容部３が固定されている。収容部３は鋼板製であり、収容部３の飛球線Ｌに近い側に飛球線Ｌとほぼ平行にボールガイド溝４が形成してある。収容部３の底面は、ボールガイド溝４の方が低くなった傾斜面とされており、ゴルフボール２がボールガイド溝４内に一列に並ぶようにその幅寸法が設定してある。そして、ボールガイド溝４にも図１の左側が低くなるような勾配がつけられれおり、これによってボールガイド溝４内のボール転動や後述のボール規制がなされる。
【００１６】
符号５はボールガイド溝４の先端部であり、ここの底面６はボールガイド溝４の底面７よりも一段低くしてある。先端部５にはストッパ板８が設置してある。
先端部５の箇所にはゴルフボール送出用の開放部９が形成されている。この開放部９に連続しうる状態で後述のボールガイド１０が揺動可能な状態で配置されている。
【００１７】
ボールガイド溝４の先端部５は、収容部３の左側から飛球方向に突出しており、この突出した箇所の練習者側にボールガイド１０が取付けられている。ボールガイド１０は、図４に示されているように、円弧溝１１を有するガイド部１２と、それに連続して先端部に形成されたリング状のストッパ構造１３と、ボールガイド１０の揺動をさせるための軸１４と、ボールガイド１０の起立状態を維持するウエイト１５から構成されている。なお、ボールガイド１０は合成樹脂やアルミニウムのような軽量材料で作られており、ウエイト１５は鉛あるいは鉄で作られている。また、リング状のストッパ構造１３の内径は、ゴルフボール２の直径よりも若干大きく設定されている。
【００１８】
軸１４は、図３に示した軸受ユニット１６によって支持されている。同軸上に配列された軸受孔１７、１７を有する軸受片１８、１８がほぼコ字型をした結合部材１９で一体化され、一方の軸受片１８に固定されたブラケット２０を介して軸受ユニット１６が基部材１の横側面に取付けられている。ボールガイド１０の軸１４は、軸受片１８の軸受孔１７に差し込まれており、軸１４の軸線は飛球線Ｌとほぼ平行に配置されており、これによってボールガイド１０が倒れるとボールガイド１０は飛球線Ｌやボールガイド溝４にほぼ直交した状態になる。なお、結合部材１９の一部にストッパ片２１が形成され、図２に見られるように起立したボールガイドが１０がそれ以上反時計方向に揺動できないようになっている。
【００１９】
ゴルフボール２を載せるティー２２と練習機本体との距離Ｓを所定の長さにするために、位置決め部材２３が設けられている。位置決め部材２３の一端は、基部材１に溶接された結合片２４に接着等で固着され、他端にティー２２が結合されている。このようにして設定された練習機本体とティー２２との距離Ｓをボールガイド１０の長さに合致させることにより、図４や図７に示したように、ティー２２とストッパ構造１３との相対位置が適正に設定される。両者の相対位置が適正に設定されることにより、円形断面のパイプ状とされたティー２２とリング状のストッパ構造１３とが同軸状態になる。したがって、ボールガイド１０を転動してきたゴルフボール２は、ストッパ構造１３で停止させられるのと同時にティー２２上に載置される。
【００２０】
ティー２２はゴム製でありその下部には結合用のフランジ２５が一体化されている。また、位置決め部材２３は、図示のように飛球線方向の幅が大きく設定された柔軟なシート状の材料、たとえば、塩化ビニール製シートで作るのが適当である。こうすることにより、ティー２２がクラブヘッドで激しく叩かれても、ティー２２自体が撓むのと同時に位置決め部材２３が変形するので、打球後には元の位置に復帰するのである。そして、位置決め部材２３には上記のような幅が付与してあるのでティー２２の飛球線方向の位置ずれ等が発生しないようになっている。
【００２１】
上記の説明では、結合片２４が基部材１に溶接されている状態とされているが、溶接に代えて基部材１を上下方向に位置調整ができるようにしておくことにより、距離Ｓの長さを調整することができる。そのための構造例としては、図示していないが、結合片２４に上下方向の長孔を明け、ここに貫通させたボルトを基部材１にねじ込む構造が採用できる。長孔にそって結合片２４の固定位置が上下方向にかえられるのである。
【００２２】
先端部５に停止して待機しているゴルフボール２が、勝手に解放部９からティー２２の方へ出て行かないようにするために、あるいは、ゴルフボール２の待機位置を決めるために、底面６に細長い突起２６が固定されている。この突起２６はティー２２側に片寄せてあり、飛球線Ｌ方向に伸びた状態とされている。
【００２３】
先端部５に停止しているゴルフボール２をボールガイド１０上に移載するために、押出し部材２７が設けられている。この押出し部材２７は、分厚い鋼板またはステンレス鋼板で作られており、飛球線Ｌ方向にほぼ直交する向きに揺動する。基部材１に支柱２８が固定され、その上部に軸２９を用いて押出し部材２７が揺動可能な状態で取り付けられている。押出し部材２７の前面には押出し面３０が形成され、その側面には規制面３１が形成されている。押出し部材２７を通常は起立した状態に維持するために、その下部にウエイト３２が固定してある。押出し部材２７の上部には、飛球線Ｌ方向に伸ばされた操作部材３３が固定され、これをクラブのヘッドで押すと、押出し部材２７が図２の矢線３４のように揺動する。
【００２４】
飛球線Ｌに直交した方向に、押出し部材２７と、先端部５すなわち待機しているゴルフボール２と、ボールガイド１０が配列されている。また、押出し部材２７が揺動するとその押出し面３０がゴルフボール２を押出し、ゴルフボール２が押出されると起立しているボールガイド１０を押倒すことができるように、押出し部材２７、先端部５、ボールガイド１０の配置間隔が設定されている。
【００２５】
人口芝が付着されたマット３５にはティー２２が貫通する通孔３６が明けられていて、マット３５の下側に位置決め部材２３が配置されている。このように、位置決め部材２３がマット３５で押さえられたような状態になっているので、ティー２２はクラブヘッドの衝撃で位置ずれ等が発生しないしっかりとした設置状態になっている。
【００２６】
つぎに、ゴルフボール２が押出されて行く過程を図５にしたがって説明する。
同図（Ａ）は、ゴルフボール２が先端部５の底面６で待機している所であり、底面６はボールガイド溝４の底面７よりも低いこと、ストッパ板８、押出し面３０、突起２６等があることにより、ゴルフボール２は勝手に転動することが防止されている。クラブヘッドで操作部材３３を押すと、同図（Ｂ）のように押出し面３０がゴルフボール２を押すので、ゴルフボール２は突起２６を乗り越えながらボールガイド１０を押倒して行く。ゴルフボール２は、軸１４よりも上側を押すので、ボールガイド１０が押出し部材２７の揺動である程度強制的に傾斜させられると、今度は、ゴルフボール２の自重でボールガイド１０を同図（Ｃ）のように押倒して、低い方へ転動して行く。押出し部材２７が（Ｃ）の位置に来ているときには、つぎのゴルフボール２が二点鎖線図示のように規制面３１で受け止められている。
【００２７】
その後、前述のようにしてゴルフボール２がストッパ構造１３で停止させられ、ティー２２上に移載される。ゴルフボール２がティー２２上に移載されると、ウエイト１５によりボールガイド１０が、ゴルフボール２をティー２２上に残したまま再び起立した格納位置に復帰し、ゴルフボール２を打てる状態になる。
【００２８】
図８から図１０は、他の実施形態を示している。この実施形態は、ティー２２の高さが変わった場合にボールガイド１０の先端部すなわちストッパ構造１３の高さも変えて、ゴルフボール２が確実にティー２２上に移載されるようにしたものである。
【００２９】
そのために、ボールガイド１０を揺動させる軸１４を収容部３側に取付け、収容部３自体を上下方向に変位できる構造としている。軸１４を収容部３側に取付けるための介在部材として軸受ユニット１６が利用されている。上下方向に変位できる構造は、基部材１と収容部３との間に圧縮コイルスプリング４０が設けられ、収容部３の下部に溶接等で固定した脚部材４１が基部材１に結合されるようになっている。脚部材４１には上下方向に伸びた長孔４２が明けられ、この長孔４２を貫通させたボルト４３が基部材１にねじ込まれる構造になっている。符号４４はボルト４３に固定されたつまみであり、ボルト４３を回転させるときに指をかける部位である。
【００３０】
なお、図８には圧縮コイルスプリング４０が１本だけ図示されているが、実際には図１のような平面的にみて少なくとも４本配置するのが適当である。こうすることにより、収容部３が傾斜することが防止される。あるいは、図示していないが、収容部３から下方に伸ばしたガイド部材と基部材１から上方に伸ばしたガイド部材を摺動可能な雌雄溝の構造で一体化して、収容部３が傾かないように支持し、その代わりに圧縮コイルスプリング４０を収容部３の中央部に１個または２個配置してもよい。
【００３１】
ボルト４３を緩めて収容部３を長孔４２に沿って上下方向に移動させ、収容部３の高さをティー２２の高さに合わせたところでボルト４３を締め込んで脚部材４１をしっかりと基部材１の横側面に圧接し、収容部３の位置決めが完了する。
このような高さの調節動作により、図９に示すように高いティー２２と低いティー２２に対するボールガイド１０、すなわちストッパ構造１３の箇所の高さが各ティー２２に適合される。符号Ｈは、ティー２２の最大高さと最小高さの差を示している。
【００３２】
収容部３の高さが可変になっているので、押出し部材２７とゴルフボール２との相対位置を変えないようにするために、押出し部材２７は収容部３側に取付けられている。したがって、前述の支柱２８は図８においては座金のような役割を果たす部材とされている。また、軸１４を支える軸受ユニット１６は、そのブラケット２０が斜め下に傾斜した姿勢とされている。
【００３３】
なお、図１０に示すように、ゴルフボール２を先端部５の仮止め用の孔４５にはめ込んで、前述の突起２６を廃止している。上記以外の構成は先の実施形態と同じであり、同じ機能を果たす部材には同一符号が記載してある。
【００３４】
以上にのべた構成により、収容部３の高さを変えると、前記軸１４も一緒に高さが変わるので、ボールガイド１０の高さも変わることとなる。つまり、ティー２２の高さが高いときにはその高さに合わせて収容部３の高さ、すなわちボールガイド１０を支持する軸１４の高さを高くすることにより、ボールガイド１０の先端部すなわちストッパ構造１３の高さも高くなり、ティー２２の高さに適したボールガイド１０の先端部の高さが設定でき、ゴルフボール２が確実にティー２２上に移載される。また、ティー２２が低いときには、上記の高い場合の逆の調整を行えばよい。これ以外の作用効果は、先の実施形態の作用効果と同じである。
【００３５】
【発明の効果】
以上に説明したように、本発明によれば、ボールガイドが格納位置からゴルフボールをティー上に移載させる転動位置に変位させられると、ボールガイドの先端部のストッパ構造とティーとの相対位置が位置決め部材で適正に確定される。
したがって、ボールガイドを転動したゴルフボールはストッパ構造で停止させられるとともに、その停止位置がティー上であることにより、ゴルフボールは確実にティー上に停止し、正確なボール供給が実現する。
【００３６】
ボールガイド溝は収容部の飛球線側、すなわち練習者に近い箇所に飛球線とほぼ平行に配置され、ボールガイドはボールガイド溝の先端部に配置されているから、ゴルフボールの移動軌跡は、上記ガイド溝を飛球線方向に移動してからボールガイドに移載される状態になる。したがって、ゴルフボールの移動軌跡が単純化され、ボールが移動中に何等かの部材にひっかかったりするようなトラブルがなく、供給信頼性の高い練習機がえられる。また、ボールガイドが起立した格納位置から倒れるように揺動して転動位置に変位すると、ボールガイドはボールガイド溝の長手方向、つまり飛球線方向にほぼ直交した向きに位置づけられる。したがって、ゴルフボールは練習機本体からできるだけ離れた位置にガイドされてティーアップがなされることとなり、練習スイングの際に練習機本体が気にならないで練習できる。
【００３７】
ゴルフボールはボールガイドの後方からボールガイドを押倒すようにして押出し部材により押出されるので、ゴルフボールの転出とともにボールガイドが倒れて、ゴルフボールの移動通路が確実に形成される。とくに、ゴルフボールが押出し部材で強制的に移動させられる際にボールガイドが倒されるので、ボールガイドを倒す駆動源が練習者の動作力となり、確実にボールガイドが転動位置に変位し、信頼性の高いボール供給が実行される。すなわち、練習者の遠い側から見ると、一番奥に練習者が動作させる押出し部材、ゴルフボール、ボールガイドの順で配列されているので、上記のような首尾よい作用が実現するのである。
【００３８】
ボールガイド溝の先端部に到達したゴルフボールは、突起によって停止位置が決定づけられているから、勝手にボールガイドを押倒すような現象がなく、練習者が動作させる押出し部材でゴルフボールが突起を乗り越えながらボールガイドを押倒して行く。したがって、ゴルフボールの停止安定性が向上し、練習者の動作に基づいた明確な押出し運動により、ゴルフボールが押され合わせてボールガイドも押倒されて、信頼性の高いボール供給がえられる。
【００３９】
収容部の高さを変えると、前記軸も一緒に高さが変わるので、ボールガイドの高さも変わることとなる。つまり、ティーの高さが高いときにはその高さに合わせて収容部の高さ、すなわちボールガイドを支持する軸の高さを高くすることにより、ボールガイドの先端部の高さも高くなり、ティーの高さに適したボールガイドの先端部の高さが設定でき、ゴルフボールが確実にティー上に移載される。
また、ティーが低いときには、上記の高い場合の逆の調整を行えばよい。
【図面の簡単な説明】
【図１】本発明の実施の形態を示す（Ａ）平面図、（Ｂ）断面図である。
【図２】図１の（２）−（２）断面図である。
【図３】軸受ユニットの立体図である。
【図４】ボールガイドの立体図である。
【図５】ゴルフボールの押出し過程を示す側面図である。
【図６】全体的な平面図である。
【図７】位置決め部材の箇所の断面図である。
【図８】他の実施形態を示す側面図である。
【図９】ティーの高さとボールガイドとの位置関係を示す側面図である。
【図１０】ゴルフボールを仮止めする孔の断面図である。
【符号の説明】
３　　　収容部
２２　　ティー
２　　　ゴルフボール
１０　　ボールガイド
１３　　ストッパ構造
２３　　位置決め部材
Ｌ　　　飛球線
４　　　ボールガイド溝
５　　　先端部
１４　　軸
２７　　押出し部材
６　　　底面
２６　　突起
【図１】
2004041669.tif 000003
【図２】
2004041669.tif 000004
【図３】
2004041669.tif 000005
【図４】
2004041669.tif 000006
【図５】
2004041669.tif 000007
【図６】
2004041669.tif 000008
【図７】
2004041669.tif 000009
【図８】
2004041669.tif 000010
【図９】
2004041669.tif 000011
【図１０】
2004041669.tif 000012